(57)【要約】【課題】反射部材を有する変倍時固定の正の第１群と変倍時移動の第２群を有し、高変倍で全長が短い屈曲変倍光学系とそれを用いた撮像装置等の装置。【解決手段】変倍時固定の正の第１群Ｇ１と、変倍時に移動する負の第２群Ｇ２とを有し、正の第１群Ｇ１は、物体側から順に、負の単レンズと、反射部材Ｐと、正レンズ群を有しており、入射瞳位置の変動を抑えるように配置するための条件（１）と、第１群Ｇ１の焦点距離に関す条件式（２）と、第１群Ｇ１の負の単レンズの形状を整えるための条件式（３）とを満足する。【選択図】図１
2007248952.tif 000002
【特許請求の範囲】
【請求項１】
物体側から順に、変倍時固定の正の第１群と、変倍時に移動する負の第２群とを有し、正の第１群は、物体側から順に、負の単レンズと、反射部材と、正レンズ群を有しており、以下の条件式を満たすことを特徴とする屈曲変倍光学系。
１＜ｆ1 ／｜ｆ2 ｜＜２．８                                    ・・・（１）
０．１＜ｆ1 ／ｆt ＜０．６５                                  ・・・（２）
１．８＜Ｒ2 ／ｆw ＜１０                                      ・・・（３）
ただし、ｆ1 ：反射面を有する正の第１群の焦点距離、
ｆ2 ：負の第２群の焦点距離、
Ｒ2 ：第１群の最も物体側の負レンズの像側面の軸上曲率半径、
ｆw ：広角端の全系の焦点距離、
ｆt ：望遠端の全系の焦点距離、
である。
【請求項２】
物体側から順に、最も物体側に変倍時固定の正の第１群と、変倍時に単調に移動する負の第２群、絞りを有する第３群とを有し、正の第１群中に反射面を有し、以下の条件式を満たすことを特徴とする屈曲変倍光学系。
０＜Δ2G／ｆt ＜０．２７                                      ・・・（４）
１＜ｆ1 ／｜ｆ2 ｜＜３                                      ・・・（１）’
ただし、Δ2G：広角端から望遠端に変倍するときの第２群の移動量（物体側から像側への移動を＋とする。）、
ｆt ：望遠端の全系の焦点距離、
ｆ1 ：反射面を有する正の第１群の焦点距離、
ｆ2 ：負の第２群の焦点距離、
である。
【請求項３】
物体側から順に、最も物体側に変倍時固定の正の第１群と、変倍時に移動する負の第２群とを有し、正の第１群は、物体側から順に、負の単レンズと、反射部材としてのプリズムを有し、以下の条件式を満たすことを特徴とする屈曲変倍光学系。
Ｎdp＞２．０                                                  ・・・（５）
ただし、Ｎdp：第１群中のプリズムに使用される硝材のｄ線における屈折率、
である。
【請求項４】
物体側から順に、変倍時固定の正の第１群と、変倍時に単調に移動する負の第２群と、変倍時固定で開口絞りを有する正又は負の第３群と、正の第４群と、正の第５群とを有し、正の第１群中には反射面を有し、以下の条件を満たすことを特徴とする屈曲変倍光学系。
０．２＜ｆ1 ／ｆt ＜０．６５                                ・・・（２）’
ただし、ｆ1 ：反射面を有する正の第１群の焦点距離、
ｆt ：望遠端の全系の焦点距離、
である。
【請求項５】
物体側から順に、変倍時固定の正の第１群と、広角端から望遠端への変倍時に像側に移動する負の第２群が配置され  第２群より像側に絞りが配置され、最も像側にレンズ群ユニットを有し、そのレンズ群ユニットは、物体側より順に、広角端に対して望遠端で物体側に位置するように移動する正のＡ１群と、像側に位置するように移動する正のＡ２群からなり、正の第１群は、物体側から順に、負の単レンズＬ１と、反射部材と、正レンズ群を有しており、以下の条件式を満たすことを特徴とする屈曲変倍光学系。
−１≦Ｒ2 ／Ｒ1 ＜０．１８                                    ・・・（６）
０．１＜β2 ／βa ＜０．６５                                  ・・・（７）
ただし、Ｒ1 ：負の単レンズＬ１の物体側面の軸上曲率半径、
Ｒ2 ：負の単レンズＬ１の像側面の軸上曲率半径、
β2 ：広角端と望遠端の第１群と第２群の合成焦点距離比、
βa ：広角端と望遠端の焦点距離比、
である。
【請求項６】
反射部材は平面で構成されていることを特徴とする請求項１〜５の何れか１項記載の屈曲変倍光学系。
【請求項７】
請求項１から６の何れか１項記載の屈曲変倍光学系と、屈曲変倍光学系によって形成された物体像を受光する位置に配置された撮像素子とを備えたことを特徴とする撮像装置。
【請求項８】
請求項１から６の何れか１項記載の屈曲変倍光学系と、屈曲変倍光学系によって形成された物体像を受光する位置に配置された撮像素子と、撮像素子によって光電変換された電子信号を処理するＣＰＵと、操作者がＣＰＵに入力したい情報信号を入力するための入力部と、ＣＰＵからの出力を表示装置に表示する表示処理手段と、ＣＰＵからの出力を記録する記録媒体とを含み、ＣＰＵは、屈曲変倍光学系によって撮像素子で受光された物体像を表示装置に表示するように構成されていることを特徴とする情報処理装置。
【請求項９】
情報処理装置は携帯端末機器であることを特徴とする請求項８記載の情報処理装置。
【請求項１０】
請求項１から６の何れか１項記載の屈曲変倍光学系と、屈曲変倍光学系によって形成された物体像を受光する位置に配置された撮像素子と、撮像素子によって光電変換された電子信号を処理するＣＰＵと、撮像素子で受光された物体像を観察可能に表示する表示素子とを有し、撮像素子で受光された物体像の像情報を記録するための記録媒体を内蔵又は挿脱するように構成され、ＣＰＵが、撮像素子に受光された物体像を表示素子に表示する表示装置と、撮像素子に受光された物体像を記録媒体に記録する記録処理手段とを有することを特徴とする電子カメラ装置。
【発明の詳細な説明】
【技術分野】
【０００１】
本発明は、屈曲変倍光学系に関し、特に、光路中に反射面を有し、高変倍比を持ちながら、装置全体の小型化、薄型化を図れる屈曲変倍光学系に関するものである。
【背景技術】
【０００２】
近年、デジタルスチルカメラのように電子撮像素子を用いた撮像装置が、幅広く普及している。デジタルスチルカメラの発展と普及に伴い、高画質と共に小型化への要求が強く、中でも薄型高変倍の光学系が求められている。
【０００３】
薄型光学系への１つの方法として、収納時に光学系の一部を光軸外に退避する機構を用いた機構が提案・実施がなされているが、高画質で高変倍のズームレンズは、光学全長や変倍移動量が大きくなり、複雑な鏡筒機構を用いても、薄型化することは難しくなる。
【０００４】
また、沈胴式鏡筒を用いる場合、防塵・防水のための機構が複雑になってしまうことから、防塵・防水の構造を作りやすい屈曲変倍光学系は撮影領域の拡大に有利な方法であり、特許文献１〜３のような屈曲式の光学系を用いた高変倍光学系が提案されている。
【特許文献１】特開平８−２４８３１８号公報
【特許文献２】特開平９−１３８３４７号公報
【特許文献３】特開２００４−３４７７１２号公報
【発明の開示】
【発明が解決しようとする課題】
【０００５】
これらの先行技術では、変倍比が５倍を越えるような実施例が開示されているが、望遠側の焦点距離に対して光学全長が長く、小型化の面で十分とは言えない。また、望遠側では入射瞳の位置が奥まってしまい、望遠側での周辺光量を確保するため第１群の体積を大きくせざるを得ず（具体的には、例えば望遠側での軸外光線高が高い状態となり、周辺光量の確保のためプリズムが大型となる。）、光学系及び装置が大型化してしまう。
【０００６】
本発明は従来技術のこのような問題点に鑑みてなされたものであり、その目的は、反射部材を有する変倍時固定の正の第１群と変倍時移動の第２群を有し、高変倍で全長が短い屈曲変倍光学系とそれを用いた撮像装置等の装置を提供することである。
【課題を解決するための手段】
【０００７】
上記目的を達成する本発明の第１の屈曲変倍光学系は、物体側から順に、変倍時固定の正の第１群と、変倍時に移動する負の第２群とを有し、正の第１群は、物体側から順に、負の単レンズと、反射部材と、正レンズ群を有しており、以下の条件式を満たすことを特徴とするものである。
【０００８】
１＜ｆ1 ／｜ｆ2 ｜＜２．８                                    ・・・（１）
０．１＜ｆ1 ／ｆt ＜０．６５                                  ・・・（２）
１．８＜Ｒ2 ／ｆw ＜１０                                      ・・・（３）
ただし、ｆ1 ：反射面を有する正の第１群の焦点距離、
ｆ2 ：負の第２群の焦点距離、
Ｒ2 ：第１群の最も物体側の負レンズの像側面の軸上曲率半径、
ｆw ：広角端の全系の焦点距離、
ｆt ：望遠端の全系の焦点距離、
である。
【０００９】
以下に、本発明の第１の屈曲変倍光学系において、上記構成をとる理由と作用を説明する。
【００１０】
条件式（１）は、入射瞳位置の変動を抑えるように配置するための条件で、この条件の上限の２．８を上回ると、変倍による入射瞳位置の変動が大きくなり、光学性能の確保が難しくなる。下限の１を下回ると、第２群の変倍効果が小さくなり、変倍比を高め難くなる。
【００１１】
条件式（２）は、この条件の上限の０．６５を上回ると、全長の増大につながり、下限の０．１を下回ると、変倍による収差変動が大きくなるため、光学性能の確保が難しくなる。
【００１２】
条件式（３）は、第１群の負の単レンズの形状を整えるための条件式で、この条件の下限の１．８を下回ると、負レンズを筐体に納めるための光軸上の厚みが多く必要になり、光学系全体の厚みが増してしまう。また、負の単レンズへ入射する光線高により、屈折力の変化が大きくなるため、変倍による軸外収差の変動が大きくなり、光学性能の確保が難しくなる。上限の１０を越えると、広角側で負の歪曲の補正が難しくなる。
【００１３】
これらの条件式（１）〜（３）を満たすことで、光学全長を抑えつつ、光学性能を確保することができる。
【００１４】
本発明の第２の屈曲変倍光学系は、物体側から順に、最も物体側に変倍時固定の正の第１群と、変倍時に単調に移動する負の第２群、絞りを有する第３群とを有し、正の第１群中に反射面を有し、以下の条件式を満たすことを特徴とするものである。
【００１５】
０＜Δ2G／ｆt ＜０．２７                                      ・・・（４）
１＜ｆ1 ／｜ｆ2 ｜＜３                                      ・・・（１）’
ただし、Δ2G：広角端から望遠端に変倍するときの第２群の移動量（物体側から像側への移動を＋とする。）、
ｆt ：望遠端の全系の焦点距離、
ｆ1 ：反射面を有する正の第１群の焦点距離、
ｆ2 ：負の第２群の焦点距離、
である。
【００１６】
以下に、本発明の第２の屈曲変倍光学系において、上記構成をとる理由と作用を説明する。
【００１７】
条件式（４）の下限の０を下回ると、望遠側で入射瞳位置が遠くなるため、第１群中の負レンズと反射部材が大型化してしまう。上限の０．２７を越えると、第２群の移動量が相対的に大きくなり、軸外主光線の撮像面への入射角度を光軸に対して平行に近い状態を維持しながら、光学全長を短縮することができなくなる。
【００１８】
条件式（１）’は、入射瞳位置の変動を抑えるように配置するための条件で、この条件の上限の３を上回ると、変倍による入射瞳位置の変動が大きくなり、光学性能の確保が難しくなる。下限の１を下回ると、第２群の変倍効果が小さくなり、変倍比を高め難くなる。
【００１９】
本発明の第３の屈曲変倍光学系は、物体側から順に、最も物体側に変倍時固定の正の第１群と、変倍時に移動する負の第２群とを有し、正の第１群は、物体側から順に、負の単レンズと、反射部材としてのプリズムを有し、以下の条件式を満たすことを特徴とするものである。
【００２０】
Ｎdp＞２．０                                                  ・・・（５）
ただし、Ｎdp：第１群中のプリズムに使用される硝材のｄ線における屈折率、
である。
【００２１】
以下に、本発明の第３の屈曲変倍光学系において、上記構成をとる理由と作用を説明する。
【００２２】
条件式（５）に従って反射面を持つプリズムの屈折率を高くすることにより、プリズムを小型化でき、負の単レンズの光線高を下げることができるため、軸外収差の発生を抑えることができる。また、プリズムの全反射角に余裕を持たせることができ、広角側の軸外光線を効果的に反射させることが可能になる。プリズムやプリズム以外の素子を移動させることによる手ぶれ補正機構においても、軸外光線を確実に撮像素子に伝える（入射させる）ことができる。
【００２３】
本発明の第４の屈曲変倍光学系は、物体側から順に、変倍時固定の正の第１群と、変倍時に単調に移動する負の第２群と、変倍時固定で開口絞りを有する正又は負の第３群と、正の第４群と、正の第５群とを有し、正の第１群中には反射面を有し、以下の条件を満たすことを特徴とするものである。
【００２４】
０．２＜ｆ1 ／ｆt ＜０．６５                                ・・・（２）’
ただし、ｆ1 ：反射面を有する正の第１群の焦点距離、
ｆt ：望遠端の全系の焦点距離、
である。
【００２５】
以下に、本発明の第４の屈曲変倍光学系において、上記構成をとる理由と作用を説明する。
【００２６】
条件式（２）’の下限の０．２を下回ると、第１群の屈折力が強くなりすぎるため、全体の収差補正のバランスがとれなくなり、その条件の上限の０．６５を上回ると、光学全長と前玉径が大きくなり、小型化・薄型化が達成できなくなる。
【００２７】
本発明の第５の屈曲変倍光学系は、物体側から順に、変倍時固定の正の第１群と、広角端から望遠端への変倍時に像側に移動する負の第２群が配置され  第２群より像側に絞りが配置され、最も像側にレンズ群ユニットを有し、そのレンズ群ユニットは、物体側より順に、広角端に対して望遠端で物体側に位置するように移動する正のＡ１群と、像側に位置するように移動する正のＡ２群からなり、正の第１群は、物体側から順に、負の単レンズＬ１と、反射部材と、正レンズ群を有しており、以下の条件式を満たすことを特徴とするものである。
【００２８】
−１≦Ｒ2 ／Ｒ1 ＜０．１８                                    ・・・（６）
０．１＜β2 ／βa ＜０．６５                                  ・・・（７）
ただし、Ｒ1 ：負の単レンズＬ１の物体側面の軸上曲率半径、
Ｒ2 ：負の単レンズＬ１の像側面の軸上曲率半径、
β2 ：広角端と望遠端の第１群と第２群の合成焦点距離比、
βa ：広角端と望遠端の焦点距離比（ｆt ／ｆw ）、
である。
【００２９】
以下に、本発明の第５の屈曲変倍光学系において、上記構成をとる理由と作用を説明する。
【００３０】
この構成は、第１群に反射手段を持ち薄型を達成する光学系で、さらに、ズーム変倍比を上げ（７倍以上）、光学系全体をコンパクトにするのに適した構成である。第１群の負の単レンズＬ１の主点を物体側に配することで、第１群全体の後側主点を像側に配置することができる。これにより広角端での第１群と第２群の主点間隔を小さくすることができ、第２群への負荷を小さくすることができ、第２群の移動量を小さくしたり、第２群を簡易にできる。さらに、第２群の変倍負担量を小さくすることで、第２群の移動量を小さく、又は、その構成を簡易にできる。レンズ群ユニットは、第２群の変倍負担量を小さくするため、変倍負担量が大きくなる。このとき、レンズ群ユニットの広角端から望遠端のスペースを効率的に小さくし、また、構成を簡易にする手段とした正のＡ１群と正のＡ２群を、広角端に対して望遠端で反対側の方向に移動するように構成している。
【００３１】
条件式（６）は、負の単レンズＬ１の主点位置を物体側に配置するための条件であるが、その下限の−１を越えると、光束が反射手段位置で広がりすぎコンパクト化に反してしまう。上限の０．１８を越えると、主点が像側に配置され好ましくない。
【００３２】
条件式（７）は、第２群の変倍負担量を示すもので、その下限の０．１を越えると、第２群の変倍機能が小さくなりすぎ、変倍によるＦナンバーの変動が大きくなる。上限の０．６５を越えると、第２群の負荷が大きくなり、移動量が大きくなり、また、第２群の構成が複雑になる。
【００３３】
好ましくは、正のＡ１群は、像側から、負レンズ  正レンズ  正レンズを有し、少なくとも１つの空気レンズを持つ構成がよい。レンズ群ユニット全体で、正、負、正の屈折力配置構成となり、効率的な構成となる。
【００３４】
好ましくは  第２群とレンズ群ユニットの間に開口絞りを配置し、変倍時に固定するのがよい。第２群と正のＡ１群は反対方向に動くので、絞りを変倍時固定にしてもスペース効率を下げることはない。一方  絞り機構が固定されることで、駆動構造が簡易になる。さらに、絞り周辺に変倍時固定のレンズ素子を配して、特に軸上収差の補正を容易にしてもよい。これにより、変倍時移動する群の収差補正が容易になり、組み立て性を含めて好ましくなる。
【００３５】
以上の屈曲変倍光学系において、反射部材は平面で構成されていることが好ましい。
【００３６】
反射面を球面等の非平面で構成した場合、偏心収差が発生するため、偏心収差補正が必要になる。また、反射部材をプリズムで構成する場合に、入射出面に屈折力を持たせると、プリズムとプリズム以外の光学素子との光軸を揃えるのが難しくなる等、反射部材に屈折力を持たせると、製造が難しくなり、コストアップにつながってしまう。
【００３７】
上述の各構成は任意に複数を同時に満足してもよく、それにより、より良好な効果を得ることができる。
【００３８】
また、各条件式についても任意に組み合わせて満足すれば、より良好な効果を得ることができる。
【００３９】
以上の本発明の屈曲変倍光学系は、その屈曲変倍光学系によって形成された物体像を受光する位置に配置された撮像素子を備えるようにして撮像装置として構成することができる。
【００４０】
また、以上の本発明の屈曲変倍光学系は、その屈曲変倍光学系によって形成された物体像を受光する位置に配置された撮像素子と、その撮像素子によって光電変換された電子信号を処理するＣＰＵと、操作者がＣＰＵに入力したい情報信号を入力するための入力部と、ＣＰＵからの出力を表示装置（例えば、ＬＣＤ）に表示する表示処理手段と、ＣＰＵからの出力を記録する記録媒体とを含み、ＣＰＵは、屈曲変倍光学系によって撮像素子で受光された物体像を表示装置に表示するように構成されている情報処理装置として構成することができる。
【００４１】
その場合の情報処理装置としては、携帯端末機器（例えば、携帯電話、ＰＤＡ等）がある。
【００４２】
また、以上の本発明の屈曲変倍光学系は、その屈曲変倍光学系によって形成された物体像を受光する位置に配置された撮像素子と、その撮像素子によって光電変換された電子信号を処理するＣＰＵと、その撮像素子で受光された物体像を観察可能に表示する表示素子とを有し、撮像素子で受光された物体像の像情報を記録するための記録媒体（例えば、メモリでメモリカードやＤＶＤ±ＲＷ等）を内蔵又は挿脱するように構成され、ＣＰＵが、撮像素子に受光された物体像を表示素子に表示する表示装置と、撮像素子に受光された物体像を記録媒体に記録する記録処理手段とを有する電子カメラ装置として構成することができる。
【発明の効果】
【００４３】
以上説明したように、本発明により、光路中に１つの反射面を有し、高変倍比を持ちながら、装置全体の小型化、薄型化を図れる屈曲変倍光学系とそれを用いた電子カメラや、携帯端末等の情報処理装置を提供することができる。
【発明を実施するための最良の形態】
【００４４】
以下、本発明の屈曲変倍光学系の実施例１〜９について説明する。これらの実施例の無限遠物点合焦時の広角端（ａ）、中間状態（ｂ）、望遠端（ｃ）での光路展開図をそれぞれ図１〜図９に示す。各図中、第１レンズ群はＧ１、第２レンズ群はＧ２、第３レンズ群はＧ３、第４レンズ群はＧ４、第５レンズ群はＧ５、光路折り曲げ（屈曲）プリズムはＰ、開口絞りはＳ、光学的ローパスフィルターはＦ、電子撮像素子であるＣＣＤのカバーガラスはＣ、ＣＣＤの像面はＩで示してある。なお、図１〜図９においては、第１レンズ群中Ｇ１中に配置される反射部材としての光路折り曲げ（屈曲）プリズムは、光路を展開した平行平板Ｐとして示してあり、平面の反射面は示していない。
【００４５】
実施例１では、図１に示すように、物体側から順に、正のパワーを有し変倍時固定の第１レンズ群Ｇ１、負のパワーを有し変倍時に広角端よりも望遠端で像側にあるように、広角端から望遠端にかけて像側へ移動する第２レンズ群Ｇ２、正のパワーを有し変倍時固定の第３レンズ群Ｇ３、正のパワーを有し変倍時に広角端よりも望遠端で物体側にあるように、広角端から望遠端にかけて物体側へ移動する第４レンズ群Ｇ４、正のパワーを有し広角端から望遠端にかけて像側へ移動する第５レンズ群Ｇ５の構成とし、光路折り曲げ（屈曲）を第１レンズ群Ｇ１内に配置したプリズムＰで行っている。上記のプリズムＰによる光路折り曲げで、カメラの縦方向に光路を屈曲させるか、あるいは、横方向に屈曲させる。また、フォーカシングは、第３レンズ群Ｇ３、第４レンズ群Ｇ４、あるいは、第５レンズ群Ｇ５で行える。なお、第４レンズ群Ｇ４と第５レンズ群Ｇ５はレンズ群ユニットを形成している。
【００４６】
各群の構成は、物体側から順に、第１レンズ群Ｇ１は、両凹負レンズと、プリズムＰと、両凸正レンズとからなり、第２レンズ群Ｇ２は、両凹負レンズと、物体側に凸面を向けた正メニスカスレンズとからなり、第３レンズ群Ｇ３は、物体側に凸面を向けた正メニスカスレンズと、開口絞りＳとからなり、第４レンズ群Ｇ４は、両凸正レンズと、両凸正レンズと両凹負レンズの接合レンズとからなり、第５レンズ群Ｇ５は、両凸正レンズ１枚からなる。
【００４７】
非球面は、第１レンズ群Ｇ１の両凸正レンズの像側の面、第２レンズ群Ｇ２の両凹負レンズの像側の面、第４レンズ群Ｇ４の単レンズの両凸正レンズの両面、第５レンズ群Ｇ５の両凸正レンズの像側の面の５面に用いられている。
【００４８】
実施例２では、図２に示すように、物体側から順に、正のパワーを有し変倍時固定の第１レンズ群Ｇ１、負のパワーを有し変倍時に広角端よりも望遠端で像側にあるように、広角端から望遠端にかけて像側へ移動する第２レンズ群Ｇ２、正のパワーを有し変倍時固定の第３レンズ群Ｇ３、正のパワーを有し変倍時に広角端よりも望遠端で物体側にあるように、広角端から望遠端にかけて物体側へ移動する第４レンズ群Ｇ４、正のパワーを有し広角端から望遠端にかけて像側へ移動する第５レンズ群Ｇ５の構成とし、光路折り曲げ（屈曲）を第１レンズ群Ｇ１内に配置したプリズムＰで行っている。上記のプリズムＰによる光路折り曲げで、カメラの縦方向に光路を屈曲させるか、あるいは、横方向に屈曲させる。また、フォーカシングは、第３レンズ群Ｇ３、第４レンズ群Ｇ４、あるいは、第５レンズ群Ｇ５で行える。なお、第４レンズ群Ｇ４と第５レンズ群Ｇ５はレンズ群ユニットを形成している。
【００４９】
各群の構成は、物体側から順に、第１レンズ群Ｇ１は、物体側に凸面を向けた負メニスカスレンズと、プリズムＰと、両凸正レンズとからなり、第２レンズ群Ｇ２は、両凹負レンズと、物体側に凸面を向けた正メニスカスレンズとからなり、第３レンズ群Ｇ３は、物体側に凸面を向けた正メニスカスレンズと、開口絞りＳとからなり、第４レンズ群Ｇ４は、両凸正レンズと、両凸正レンズと両凹負レンズの接合レンズとからなり、第５レンズ群Ｇ５は、両凸正レンズ１枚からなる。
【００５０】
非球面は、第１レンズ群Ｇ１の両凸正レンズの像側の面、第２レンズ群Ｇ２の両凹負レンズの像側の面、第４レンズ群Ｇ４の単レンズの両凸正レンズの両面、第５レンズ群Ｇ５の両凸正レンズの像側の面の５面に用いられている。
【００５１】
実施例３では、図３に示すように、物体側から順に、正のパワーを有し変倍時固定の第１レンズ群Ｇ１、負のパワーを有し変倍時に広角端よりも望遠端で像側にあるように、広角端から望遠端にかけて像側へ移動する第２レンズ群Ｇ２、正のパワーを有し変倍時固定の第３レンズ群Ｇ３、正のパワーを有し変倍時に広角端よりも望遠端で物体側にあるように、広角端から望遠端にかけて物体側へ移動する第４レンズ群Ｇ４、正のパワーを有し広角端から望遠端にかけて像側へ移動する第５レンズ群Ｇ５の構成とし、光路折り曲げ（屈曲）を第１レンズ群Ｇ１内に配置したプリズムＰで行っている。上記のプリズムＰによる光路折り曲げで、カメラの縦方向に光路を屈曲させるか、あるいは、横方向に屈曲させる。また、フォーカシングは、第３レンズ群Ｇ３、第４レンズ群Ｇ４、あるいは、第５レンズ群Ｇ５で行える。なお、第４レンズ群Ｇ４と第５レンズ群Ｇ５はレンズ群ユニットを形成している。
【００５２】
各群の構成は、物体側から順に、第１レンズ群Ｇ１は、両凹負レンズと、プリズムＰと、両凸正レンズと、両凸正レンズとからなり、第２レンズ群Ｇ２は、両凹負レンズと、物体側に凸面を向けた正メニスカスレンズとからなり、第３レンズ群Ｇ３は、両凸正レンズと、開口絞りＳと、両凹負レンズとからなり、第４レンズ群Ｇ４は、両凸正レンズと、両凸正レンズと両凹負レンズの接合レンズとからなり、第５レンズ群Ｇ５は、物体側に凸面を向けた負メニスカスレンズと両凸正レンズの接合レンズからなる。
【００５３】
非球面は、第１レンズ群Ｇ１の最も像側の面、第２レンズ群Ｇ２の両凹負レンズの像側の面、第４レンズ群Ｇ４の単レンズの両凸正レンズの両面、第５レンズ群Ｇ５の接合レンズの最も像側の面の５面に用いられている。
【００５４】
実施例４では、図４に示すように、物体側から順に、正のパワーを有し変倍時固定の第１レンズ群Ｇ１、負のパワーを有し変倍時に広角端よりも望遠端で像側にあるように、広角端から望遠端にかけて像側へ移動する第２レンズ群Ｇ２、正のパワーを有し変倍時固定の第３レンズ群Ｇ３、正のパワーを有し変倍時に広角端よりも望遠端で物体側にあるように、広角端から望遠端にかけて物体側へ移動する第４レンズ群Ｇ４、正のパワーを有し広角端から望遠端にかけて像側へ移動する第５レンズ群Ｇ５の構成とし、光路折り曲げ（屈曲）を第１レンズ群Ｇ１内に配置したプリズムＰで行っている。上記のプリズムＰによる光路折り曲げで、カメラの縦方向に光路を屈曲させるか、あるいは、横方向に屈曲させる。また、フォーカシングは、第３レンズ群Ｇ３、第４レンズ群Ｇ４、あるいは、第５レンズ群Ｇ５で行える。なお、第４レンズ群Ｇ４と第５レンズ群Ｇ５はレンズ群ユニットを形成している。
【００５５】
各群の構成は、物体側から順に、第１レンズ群Ｇ１は、両凹負レンズと、プリズムＰと、両凸正レンズと、両凸正レンズとからなり、第２レンズ群Ｇ２は、両凹負レンズと、物体側に凸面を向けた正メニスカスレンズとからなり、第３レンズ群Ｇ３は、両凸正レンズと、開口絞りＳと、両凹負レンズとからなり、第４レンズ群Ｇ４は、両凸正レンズと、両凸正レンズと両凹負レンズの接合レンズとからなり、第５レンズ群Ｇ５は、物体側に凸面を向けた負メニスカスレンズと両凸正レンズの接合レンズからなる。
【００５６】
非球面は、第１レンズ群Ｇ１の最も像側の面、第２レンズ群Ｇ２の両凹負レンズの像側の面、第４レンズ群Ｇ４の単レンズの両凸正レンズの両面、第５レンズ群Ｇ５の接合レンズの最も像側の面の５面に用いられている。
【００５７】
実施例５では、図５に示すように、物体側から順に、正のパワーを有し変倍時固定の第１レンズ群Ｇ１、負のパワーを有し変倍時に広角端よりも望遠端で像側にあるように、広角端から望遠端にかけて像側へ移動する第２レンズ群Ｇ２、正のパワーを有し変倍時固定の第３レンズ群Ｇ３、正のパワーを有し変倍時に広角端よりも望遠端で物体側にあるように、広角端から望遠端にかけて物体側へ移動する第４レンズ群Ｇ４、正のパワーを有し広角端から中間状態までは若干物体側へ移動し中間状態から望遠端にかけて像側へ移動する第５レンズ群Ｇ５の構成とし、光路折り曲げ（屈曲）を第１レンズ群Ｇ１内に配置したプリズムＰで行っている。上記のプリズムＰによる光路折り曲げで、カメラの縦方向に光路を屈曲させるか、あるいは、横方向に屈曲させる。また、フォーカシングは、第３レンズ群Ｇ３、第４レンズ群Ｇ４、あるいは、第５レンズ群Ｇ５で行える。なお、第４レンズ群Ｇ４と第５レンズ群Ｇ５はレンズ群ユニットを形成している。
【００５８】
各群の構成は、物体側から順に、第１レンズ群Ｇ１は、両凹負レンズと、プリズムＰと、両凸正レンズと、両凸正レンズとからなり、第２レンズ群Ｇ２は、両凹負レンズと、物体側に凸面を向けた負メニスカスレンズと物体側に凸面を向けた正メニスカスレンズの接合レンズとからなり、第３レンズ群Ｇ３は、両凸正レンズと、開口絞りＳと、両凹負レンズとからなり、第４レンズ群Ｇ４は、両凸正レンズと、両凸正レンズと、両凸正レンズと両凹負レンズの接合レンズとからなり、第５レンズ群Ｇ５は、両凹負レンズと両凸正レンズの接合レンズからなる。
【００５９】
非球面は、第１レンズ群Ｇ１の２番目の両凸正レンズの物体側の面、第２レンズ群Ｇ２の両凹負レンズの像側の面、第４レンズ群Ｇ４の１番目の両凸正レンズの両面、第５レンズ群Ｇ５の接合レンズの最も像側の面の５面に用いられている。
【００６０】
実施例６では、図６に示すように、物体側から順に、正のパワーを有し変倍時固定の第１レンズ群Ｇ１、負のパワーを有し変倍時に広角端よりも望遠端で像側にあるように、広角端から望遠端にかけて像側へ移動する第２レンズ群Ｇ２、正のパワーを有し変倍時固定の第３レンズ群Ｇ３、正のパワーを有し変倍時に広角端よりも望遠端で物体側にあるように、広角端から望遠端にかけて物体側へ移動する第４レンズ群Ｇ４、正のパワーを有し広角端から中間状態までは若干物体側へ移動し中間状態から望遠端にかけて像側へ移動する第５レンズ群Ｇ５の構成とし、光路折り曲げ（屈曲）を第１レンズ群Ｇ１内に配置したプリズムＰで行っている。上記のプリズムＰによる光路折り曲げで、カメラの縦方向に光路を屈曲させるか、あるいは、横方向に屈曲させる。また、フォーカシングは、第３レンズ群Ｇ３、第４レンズ群Ｇ４、あるいは、第５レンズ群Ｇ５で行える。なお、第４レンズ群Ｇ４と第５レンズ群Ｇ５はレンズ群ユニットを形成している。
【００６１】
各群の構成は、物体側から順に、第１レンズ群Ｇ１は、両凹負レンズと、プリズムＰと、両凸正レンズと、両凸正レンズとからなり、第２レンズ群Ｇ２は、両凹負レンズと、物体側に凸面を向けた負メニスカスレンズと物体側に凸面を向けた正メニスカスレンズの接合レンズとからなり、第３レンズ群Ｇ３は、両凸正レンズと、開口絞りＳと、両凹負レンズとからなり、第４レンズ群Ｇ４は、両凸正レンズと、両凸正レンズと、両凸正レンズと両凹負レンズの接合レンズとからなり、第５レンズ群Ｇ５は、両凹負レンズと両凸正レンズの接合レンズからなる。
【００６２】
非球面は、第１レンズ群Ｇ１の２番目の両凸正レンズの両面、第２レンズ群Ｇ２の両凹負レンズの両面、第４レンズ群Ｇ４の１番目の両凸正レンズの両面、第５レンズ群Ｇ５の接合レンズの最も像側の面の７面に用いられている。
【００６３】
実施例７では、図７に示すように、物体側から順に、正のパワーを有し変倍時固定の第１レンズ群Ｇ１、負のパワーを有し変倍時に広角端よりも望遠端で像側にあるように、広角端から望遠端にかけて像側へ移動する第２レンズ群Ｇ２、正のパワーを有し変倍時固定の第３レンズ群Ｇ３、正のパワーを有し変倍時に広角端よりも望遠端で物体側にあるように、広角端から望遠端にかけて物体側へ移動する第４レンズ群Ｇ４、正のパワーを有し広角端から中間状態までは若干物体側へ移動し中間状態から望遠端にかけて像側へ移動する第５レンズ群Ｇ５の構成とし、光路折り曲げ（屈曲）を第１レンズ群Ｇ１内に配置したプリズムＰで行っている。上記のプリズムＰによる光路折り曲げで、カメラの縦方向に光路を屈曲させるか、あるいは、横方向に屈曲させる。また、フォーカシングは、第３レンズ群Ｇ３、第４レンズ群Ｇ４、あるいは、第５レンズ群Ｇ５で行える。なお、第４レンズ群Ｇ４と第５レンズ群Ｇ５はレンズ群ユニットを形成している。
【００６４】
各群の構成は、物体側から順に、第１レンズ群Ｇ１は、両凹負レンズと、プリズムＰと、両凸正レンズと、両凸正レンズとからなり、第２レンズ群Ｇ２は、両凹負レンズと、物体側に凸面を向けた負メニスカスレンズと物体側に凸面を向けた正メニスカスレンズの接合レンズとからなり、第３レンズ群Ｇ３は、両凸正レンズと、開口絞りＳと、像側に凸面を向けた負メニスカスレンズとからなり、第４レンズ群Ｇ４は、両凸正レンズと、両凸正レンズと、両凸正レンズと両凹負レンズの接合レンズとからなり、第５レンズ群Ｇ５は、両凹負レンズと両凸正レンズの接合レンズからなる。
【００６５】
非球面は、第１レンズ群Ｇ１の２番目の両凸正レンズの物体側の面、第２レンズ群Ｇ２の両凹負レンズの像側の面、第４レンズ群Ｇ４の１番目の両凸正レンズの両面、第５レンズ群Ｇ５の接合レンズの最も像側の面の５面に用いられている。
【００６６】
実施例８では、図８に示すように、物体側から順に、正のパワーを有し変倍時固定の第１レンズ群Ｇ１、負のパワーを有し変倍時に広角端よりも望遠端で像側にあるように、広角端から望遠端にかけて像側へ移動する第２レンズ群Ｇ２、正のパワーを有し変倍時固定の第３レンズ群Ｇ３、正のパワーを有し変倍時に広角端よりも望遠端で物体側にあるように、広角端から望遠端にかけて物体側へ移動する第４レンズ群Ｇ４、正のパワーを有し広角端から中間状態までは若干物体側へ移動し中間状態から望遠端にかけて像側へ移動する第５レンズ群Ｇ５の構成とし、光路折り曲げ（屈曲）を第１レンズ群Ｇ１内に配置したプリズムＰで行っている。上記のプリズムＰによる光路折り曲げで、カメラの縦方向に光路を屈曲させるか、あるいは、横方向に屈曲させる。また、フォーカシングは、第３レンズ群Ｇ３、第４レンズ群Ｇ４、あるいは、第５レンズ群Ｇ５で行える。なお、第４レンズ群Ｇ４と第５レンズ群Ｇ５はレンズ群ユニットを形成している。
【００６７】
各群の構成は、物体側から順に、第１レンズ群Ｇ１は、両凹負レンズと、プリズムＰと、両凸正レンズと、両凸正レンズとからなり、第２レンズ群Ｇ２は、両凹負レンズと、物体側に凸面を向けた負メニスカスレンズと物体側に凸面を向けた正メニスカスレンズの接合レンズとからなり、第３レンズ群Ｇ３は、両凸正レンズと、開口絞りＳと、両凹負レンズとからなり、第４レンズ群Ｇ４は、両凸正レンズと、両凸正レンズと、両凸正レンズと両凹負レンズの接合レンズとからなり、第５レンズ群Ｇ５は、両凹負レンズと両凸正レンズの接合レンズからなる。
【００６８】
非球面は、第１レンズ群Ｇ１の２番目の両凸正レンズの両面、第２レンズ群Ｇ２の両凹負レンズの像側の面、第４レンズ群Ｇ４の１番目の両凸正レンズの両面、第５レンズ群Ｇ５の接合レンズの最も像側の面の６面に用いられている。
【００６９】
実施例９では、図９に示すように、物体側から順に、正のパワーを有し変倍時固定の第１レンズ群Ｇ１、負のパワーを有し変倍時に広角端よりも望遠端で像側にあるように、広角端から望遠端にかけて像側へ移動する第２レンズ群Ｇ２、正のパワーを有し変倍時固定の第３レンズ群Ｇ３、正のパワーを有し変倍時に広角端よりも望遠端で物体側にあるように、広角端から望遠端にかけて物体側へ移動する第４レンズ群Ｇ４、正のパワーを有し広角端から中間状態までは若干物体側へ移動し中間状態から望遠端にかけて像側へ移動する第５レンズ群Ｇ５の構成とし、光路折り曲げ（屈曲）を第１レンズ群Ｇ１内に配置したプリズムＰで行っている。上記のプリズムＰによる光路折り曲げで、カメラの縦方向に光路を屈曲させるか、あるいは、横方向に屈曲させる。また、フォーカシングは、第３レンズ群Ｇ３、第４レンズ群Ｇ４、あるいは、第５レンズ群Ｇ５で行える。なお、第４レンズ群Ｇ４と第５レンズ群Ｇ５はレンズ群ユニットを形成している。
【００７０】
各群の構成は、物体側から順に、第１レンズ群Ｇ１は、両凹負レンズと、プリズムＰと、両凸正レンズと、両凸正レンズとからなり、第２レンズ群Ｇ２は、両凹負レンズと、物体側に凸面を向けた負メニスカスレンズと物体側に凸面を向けた正メニスカスレンズの接合レンズとからなり、第３レンズ群Ｇ３は、両凸正レンズと、開口絞りＳと、両凹負レンズとからなり、第４レンズ群Ｇ４は、両凸正レンズと、両凸正レンズと、両凸正レンズと両凹負レンズの接合レンズとからなり、第５レンズ群Ｇ５は、両凹負レンズと両凸正レンズの接合レンズからなる。
【００７１】
非球面は、第１レンズ群Ｇ１の２番目の両凸正レンズの両面、第２レンズ群Ｇ２の両凹負レンズの両面、第４レンズ群Ｇ４の１番目の両凸正レンズの両面、第５レンズ群Ｇ５の接合レンズの最も像側の面の７面に用いられている。
【００７２】
以下に、上記各実施例の数値データを示すが、記号は上記の外、ｆは全系焦点距離、ＦNOはＦナンバー、２ωは全画角、ＷＥは広角端、ＳＴは中間状態、ＴＥは望遠端、ｒ1 、ｒ2 …は各レンズ面の曲率半径、ｄ1 、ｄ2 …は各レンズ面間の間隔、ｎd1、ｎd2…は各レンズのｄ線の屈折率、νd1、νd2…は各レンズのアッベ数である。なお、非球面形状は、ｘを光の進行方向を正とした光軸とし、ｙを光軸と直交する方向にとると、下記の式にて表される。
【００７３】
ｘ＝（ｙ2 ／ｒ）／［１＋｛１−（Ｋ＋１）（ｙ／ｒ）2 ｝1/2 ］
＋Ａ4 ｙ4 ＋Ａ6 ｙ6 ＋Ａ8 ｙ8 ＋Ａ10ｙ10
ただし、ｒは近軸曲率半径、Ｋは円錐係数、Ａ4 、Ａ6 、Ａ8 はそれぞれ４次、６次、８次の、１０次の非球面係数である。
【００７４】
実施例１
ｒ1 =  -130.174             ｄ1 =  1.20     ｎd1 =1.92286 νd1 =20.88 
ｒ2 =    43.086             ｄ2 =  0.94     
ｒ3 =     ∞                ｄ3 = 13.80     ｎd2 =1.80100 νd2 =34.97 
ｒ4 =     ∞                ｄ4 =  0.20     
ｒ5 =    16.322             ｄ5 =  2.56     ｎd3 =1.76802 νd3 =49.24 
ｒ6 =   -47.877 （非球面）  ｄ6 = （可変）  
ｒ7 =   -35.713             ｄ7 =  1.00     ｎd4 =1.80610 νd4 =40.92 
ｒ8 =     5.604 （非球面）  ｄ8 =  2.17     
ｒ9 =    14.804             ｄ9 =  1.56     ｎd5 =1.92286 νd5 =20.88 
ｒ10=    41.407             ｄ10= （可変）  
ｒ11=    18.499             ｄ11=  1.39     ｎd6 =1.92286 νd6 =20.88 
ｒ12=    29.001             ｄ12=  0.80     
ｒ13=     ∞（絞り）        ｄ13= （可変）  
ｒ14=     8.547 （非球面）  ｄ14=  4.15     ｎd7 =1.49700 νd7 =81.54 
ｒ15=   -13.837 （非球面）  ｄ15=  0.20     
ｒ16=    48.789             ｄ16=  3.81     ｎd8 =1.61800 νd8 =63.33 
ｒ17=    -7.488             ｄ17=  0.65     ｎd9 =1.64769 νd9 =33.79 
ｒ18=     7.488             ｄ18= （可変）  
ｒ19=    19.943             ｄ19=  2.32     ｎd10=1.52542 νd10=55.78 
ｒ20=   -25.502 （非球面）  ｄ20= （可変）  
ｒ21=     ∞                ｄ21=  0.75     ｎd11=1.51633 νd11=64.14 
ｒ22=     ∞                ｄ22=  0.50     
ｒ23=     ∞                ｄ23=  0.50     ｎd12=1.51633 νd12=64.14 
ｒ24=     ∞                ｄ24=  0.37     
ｒ25=     ∞（像面）        
非球面係数
第６面
Ｋ  =  0.000
Ａ4 =  5.53951×10-5
Ａ6 =  7.45682×10-8
Ａ8 = -9.62928×10-9
Ａ10=  1.38032×10-10 
第８面
Ｋ  =  0.000
Ａ4 = -8.42944×10-4
Ａ6 = -9.21809×10-6
Ａ8 = -5.45730×10-8
Ａ10= -2.27292×10-8
第１４面
Ｋ  =  0.000
Ａ4 = -2.70333×10-4
Ａ6 = -3.78969×10-7
Ａ8 = -5.13874×10-8
Ａ10= -1.72465×10-9
第１５面
Ｋ  =  0.000
Ａ4 =  1.57395×10-4
Ａ6 =  3.03758×10-7
Ａ8 = -1.03104×10-7
Ａ10=  0
第２０面
Ｋ  =  0.000
Ａ4 =  1.54489×10-4
Ａ6 = -3.15169×10-6
Ａ8 =  1.49728×10-7
Ａ10= -4.48517×10-9
ズームデータ（∞）
ＷＥ            ＳＴ            ＴＥ
ｆ (mm)             6.41           15.44           38.00  
ＦNO                3.51            3.96            5.02  
２ω（°）         60.68           25.60           10.59  
ｄ6                 0.70            6.33            9.65  
ｄ10                9.45            3.81            0.50  
ｄ13               15.13            8.34            0.50  
ｄ18                3.92           10.84           22.41  
ｄ20                6.89            6.69            3.02                    。
【００７５】
実施例２
ｒ1 =   252.674             ｄ1 =  1.20     ｎd1 =1.92286 νd1 =20.88 
ｒ2 =    25.849             ｄ2 =  1.55     
ｒ3 =     ∞                ｄ3 = 13.80     ｎd2 =1.80100 νd2 =34.97 
ｒ4 =     ∞                ｄ4 =  0.20     
ｒ5 =    18.961             ｄ5 =  2.85     ｎd3 =1.77377 νd3 =47.17 
ｒ6 =   -36.901 （非球面）  ｄ6 = （可変）  
ｒ7 =   -24.023             ｄ7 =  1.00     ｎd4 =1.80610 νd4 =40.92 
ｒ8 =     6.787 （非球面）  ｄ8 =  1.90     
ｒ9 =    17.424             ｄ9 =  1.45     ｎd5 =1.92286 νd5 =20.88 
ｒ10=    48.482             ｄ10= （可変）  
ｒ11=    21.867             ｄ11=  1.43     ｎd6 =1.92286 νd6 =20.88 
ｒ12=    44.453             ｄ12=  0.62     
ｒ13=     ∞（絞り）        ｄ13= （可変）  
ｒ14=     8.026 （非球面）  ｄ14=  4.33     ｎd7 =1.49700 νd7 =81.54 
ｒ15=   -17.674 （非球面）  ｄ15=  0.20     
ｒ16=    32.791             ｄ16=  3.06     ｎd8 =1.61800 νd8 =63.33 
ｒ17=   -10.025             ｄ17=  0.70     ｎd9 =1.64769 νd9 =33.79 
ｒ18=     6.700             ｄ18= （可変）  
ｒ19=    19.385             ｄ19=  2.24     ｎd10=1.49700 νd10=81.54 
ｒ20=   -28.616 （非球面）  ｄ20= （可変）  
ｒ21=     ∞                ｄ21=  0.75     ｎd11=1.51633 νd11=64.14 
ｒ22=     ∞                ｄ22=  0.50     
ｒ23=     ∞                ｄ23=  0.50     ｎd12=1.51633 νd12=64.14 
ｒ24=     ∞                ｄ24=  0.37     
ｒ25=     ∞（像面）        
非球面係数
第６面
Ｋ  =  0.000
Ａ4 =  4.34741×10-5
Ａ6 =  1.17640×10-8
Ａ8 = -3.40284×10-9
Ａ10=  4.01722×10-11 
第８面
Ｋ  =  0.000
Ａ4 = -5.93540×10-4
Ａ6 = -1.73598×10-6
Ａ8 = -1.41556×10-8
Ａ10= -7.24531×10-9
第１４面
Ｋ  =  0.000
Ａ4 = -2.03710×10-4
Ａ6 = -1.29966×10-6
Ａ8 =  1.80688×10-8
Ａ10= -1.05297×10-9
第１５面
Ｋ  =  0.000
Ａ4 =  2.12348×10-4
Ａ6 = -1.24892×10-6
Ａ8 =  5.40750×10-8
Ａ10= -1.11623×10-9
第２０面
Ｋ  =  0.000
Ａ4 =  5.40754×10-5
Ａ6 =  1.86019×10-6
Ａ8 = -1.47162×10-7
Ａ10=  2.77271×10-9
ズームデータ（∞）
ＷＥ            ＳＴ            ＴＥ
ｆ (mm)             6.42           17.80           44.85  
ＦNO                3.50            3.99            4.86  
２ω（°）         60.72           22.29            9.03  
ｄ6                 0.70            7.51           11.35  
ｄ10               11.15            4.33            0.50  
ｄ13               17.82            8.47            0.50  
ｄ18                3.99           13.46           25.94  
ｄ20                7.59            7.45            2.99                    。
【００７６】
実施例３
ｒ1 =  -149.275             ｄ1 =  1.20     ｎd1 =1.92286 νd1 =20.88 
ｒ2 =    27.013             ｄ2 =  1.56     
ｒ3 =     ∞                ｄ3 = 15.40     ｎd2 =1.80100 νd2 =34.97 
ｒ4 =     ∞                ｄ4 =  0.20     
ｒ5 =    71.283             ｄ5 =  1.87     ｎd3 =1.69680 νd3 =55.53 
ｒ6 =  -106.683             ｄ6 =  0.20     
ｒ7 =    18.326             ｄ7 =  3.41     ｎd4 =1.69350 νd4 =53.21 
ｒ8 =   -63.160 （非球面）  ｄ8 = （可変）  
ｒ9 =   -36.828             ｄ9 =  0.90     ｎd5 =1.80610 νd5 =40.92 
ｒ10=     7.439 （非球面）  ｄ10=  1.21     
ｒ11=    25.261             ｄ11=  1.29     ｎd6 =1.84666 νd6 =23.78 
ｒ12=    62.543             ｄ12= （可変）  
ｒ13=    21.357             ｄ13=  2.07     ｎd7 =1.92286 νd7 =20.88 
ｒ14=   -49.304             ｄ14=  0.50     
ｒ15=     ∞（絞り）        ｄ15=  1.12     
ｒ16=   -20.134             ｄ16=  0.62     ｎd8 =1.80610 νd8 =40.92 
ｒ17=    37.635             ｄ17= （可変）  
ｒ18=    10.943 （非球面）  ｄ18=  4.02     ｎd9 =1.49700 νd9 =81.54           ｒ19=   -15.182 （非球面）  ｄ19=  0.20     
ｒ20=    25.759             ｄ20=  3.39     ｎd10=1.69680 νd10=55.53 
ｒ21=   -12.450             ｄ21=  0.70     ｎd11=1.80100 νd11=34.97 
ｒ22=    17.026             ｄ22= （可変）  
ｒ23=   262.044             ｄ23=  0.65     ｎd12=1.80100 νd12=34.97 
ｒ24=     7.700             ｄ24=  4.33     ｎd13=1.58913 νd13=61.28 
ｒ25=   -15.657 （非球面）  ｄ25= （可変）  
ｒ26=     ∞                ｄ26=  0.75     ｎd14=1.51633 νd14=64.14 
ｒ27=     ∞                ｄ27=  0.50     
ｒ28=     ∞                ｄ28=  0.50     ｎd15=1.51633 νd15=64.14 
ｒ29=     ∞                ｄ29=  0.37     
ｒ30=     ∞（像面）        
非球面係数
第８面
Ｋ  =  0.000
Ａ4 =  3.34641×10-5
Ａ6 = -4.99969×10-8
Ａ8 = -9.13795×10-10 
Ａ10=  9.37222×10-12 
第１０面
Ｋ  =  0.000
Ａ4 = -4.46866×10-4
Ａ6 = -4.68857×10-6
Ａ8 =  2.24254×10-7
Ａ10= -7.22176×10-9
第１８面
Ｋ  =  0.000
Ａ4 = -1.34378×10-4
Ａ6 =  2.28435×10-6
Ａ8 = -1.69311×10-7
Ａ10=  4.13129×10-9
第１９面
Ｋ  =  0.000
Ａ4 =  1.01953×10-4
Ａ6 =  2.74039×10-6
Ａ8 = -2.06015×10-7
Ａ10=  5.14314×10-9
第２５面
Ｋ  =  0.000
Ａ4 =  1.02970×10-4
Ａ6 =  6.54683×10-8
Ａ8 =  3.82816×10-8
Ａ10= -3.22546×10-9
ズームデータ（∞）
ＷＥ            ＳＴ            ＴＥ
ｆ (mm)             6.44           17.80           48.95  
ＦNO                3.49            3.80            5.06  
２ω（°）         60.45           22.31            8.24  
ｄ8                 0.60            7.40           11.05  
ｄ12               10.95            4.15            0.50  
ｄ17               14.74            8.40            0.50  
ｄ22                3.85           11.11           25.76  
ｄ25               10.73            9.74            3.10                    。
【００７７】
実施例４
ｒ1 =  -334.712             ｄ1 =  1.25     ｎd1 =1.92286 νd1 =20.88 
ｒ2 =    25.040             ｄ2 =  1.67     
ｒ3 =     ∞                ｄ3 = 17.00     ｎd2 =1.80100 νd2 =34.97 
ｒ4 =     ∞                ｄ4 =  0.20     
ｒ5 =    45.567             ｄ5 =  1.93     ｎd3 =1.69680 νd3 =55.53 
ｒ6 =  -159.676             ｄ6 =  0.20     
ｒ7 =    20.345             ｄ7 =  3.17     ｎd4 =1.69350 νd4 =53.21 
ｒ8 =   -69.440 （非球面）  ｄ8 = （可変）  
ｒ9 =   -38.592             ｄ9 =  1.00     ｎd5 =1.80610 νd5 =40.92 
ｒ10=     7.322 （非球面）  ｄ10=  0.99     
ｒ11=    17.008             ｄ11=  1.25     ｎd6 =1.92286 νd6 =20.88 
ｒ12=    29.148             ｄ12= （可変）  
ｒ13=    21.630             ｄ13=  1.89     ｎd7 =1.92286 νd7 =20.88 
ｒ14=   -70.785             ｄ14=  0.50     
ｒ15=     ∞（絞り）        ｄ15=  0.89     
ｒ16=   -22.691             ｄ16=  0.69     ｎd8 =1.80610 νd8 =40.92 
ｒ17=    55.271             ｄ17= （可変）  
ｒ18=    10.316 （非球面）  ｄ18=  4.16     ｎd9 =1.49700 νd9 =81.54           ｒ19=   -15.372 （非球面）  ｄ19=  0.20     
ｒ20=    27.419             ｄ20=  3.35     ｎd10=1.69680 νd10=55.53 
ｒ21=   -12.324             ｄ21=  0.68     ｎd11=1.80100 νd11=34.97 
ｒ22=    14.345             ｄ22= （可変）  
ｒ23=    60.838             ｄ23=  0.63     ｎd12=1.80100 νd12=34.97 
ｒ24=     8.388             ｄ24=  3.68     ｎd13=1.58913 νd13=61.28 
ｒ25=   -19.868 （非球面）  ｄ25= （可変）  
ｒ26=     ∞                ｄ26=  0.75     ｎd14=1.51633 νd14=64.14 
ｒ27=     ∞                ｄ27=  0.50     
ｒ28=     ∞                ｄ28=  0.50     ｎd15=1.51633 νd15=64.14 
ｒ29=     ∞                ｄ29=  0.31     
ｒ30=     ∞（像面）        
非球面係数
第８面
Ｋ  =  0.000
Ａ4 =  2.59778×10-5
Ａ6 = -6.40827×10-8
Ａ8 =  1.37084×10-10 
Ａ10=  2.21666×10-13 
第１０面
Ｋ  =  0.000
Ａ4 = -4.13584×10-4
Ａ6 = -2.54841×10-6
Ａ8 = -3.58568×10-8
Ａ10= -8.87672×10-10 
第１８面
Ｋ  =  0.000
Ａ4 = -1.40758×10-4
Ａ6 =  4.31176×10-6
Ａ8 = -2.62736×10-7
Ａ10=  6.18635×10-9
第１９面
Ｋ  =  0.000
Ａ4 =  1.21974×10-4
Ａ6 =  5.77621×10-6
Ａ8 = -3.58700×10-7
Ａ10=  8.62355×10-9
第２５面
Ｋ  =  0.000
Ａ4 =  1.08737×10-4
Ａ6 = -3.40246×10-6
Ａ8 =  2.93721×10-7
Ａ10= -8.94187×10-9
ズームデータ（∞）
ＷＥ            ＳＴ            ＴＥ
ｆ (mm)             6.45           17.83           49.02  
ＦNO                3.57            3.90            5.02  
２ω（°）         60.51           22.28            8.25  
ｄ8                 0.60            7.23           11.11  
ｄ12               11.01            4.38            0.50  
ｄ17               16.12            8.76            0.50  
ｄ22                3.87           11.84           26.91  
ｄ25               10.45            9.75            2.99                    。
【００７８】
実施例５
ｒ1 =   -71.504             ｄ1 =  1.25     ｎd1 =1.92286 νd1 =20.88 
ｒ2 =    30.816             ｄ2 =  1.48     
ｒ3 =     ∞                ｄ3 = 18.60     ｎd2 =1.80100 νd2 =34.97 
ｒ4 =     ∞                ｄ4 =  0.20     
ｒ5 =    54.499             ｄ5 =  2.69     ｎd3 =1.69680 νd3 =55.53 
ｒ6 =   -54.049             ｄ6 =  0.20     
ｒ7 =    24.259 （非球面）  ｄ7 =  3.28     ｎd4 =1.69350 νd4 =53.21 
ｒ8 =  -139.447             ｄ8 = （可変）  
ｒ9 =  -463.526             ｄ9 =  1.00     ｎd5 =1.80610 νd5 =40.92 
ｒ10=     9.037 （非球面）  ｄ10=  1.06     
ｒ11=    20.143             ｄ11=  0.73     ｎd6 =1.80100 νd6 =34.97 
ｒ12=     9.919             ｄ12=  1.77     ｎd7 =1.92286 νd7 =20.88 
ｒ13=    17.476             ｄ13= （可変）  
ｒ14=    18.014             ｄ14=  1.89     ｎd8 =1.92286 νd8 =20.88 
ｒ15=  -501.290             ｄ15=  0.35     
ｒ16=     ∞（絞り）        ｄ16=  1.20     
ｒ17=   -20.502             ｄ17=  0.70     ｎd9 =1.83400 νd9 =37.16 
ｒ18=    49.343             ｄ18= （可変）  
ｒ19=    12.878 （非球面）  ｄ19=  3.51     ｎd10=1.49700 νd10=81.54 
ｒ20=   -19.845 （非球面）  ｄ20=  0.20     
ｒ21=    17.564             ｄ21=  2.49     ｎd11=1.49700 νd11=81.54 
ｒ22=   -52.664             ｄ22=  0.30     
ｒ23=   111.813             ｄ23=  2.79     ｎd12=1.69680 νd12=55.53 
ｒ24=   -10.822             ｄ24=  0.69     ｎd13=1.80100 νd13=34.97 
ｒ25=    13.249             ｄ25= （可変）  
ｒ26=   -48.171             ｄ26=  0.64     ｎd14=1.83400 νd14=37.16 
ｒ27=    16.798             ｄ27=  2.80     ｎd15=1.59201 νd15=67.02 
ｒ28=   -12.997 （非球面）  ｄ28= （可変）  
ｒ29=     ∞                ｄ29=  0.75     ｎd16=1.51633 νd16=64.14 
ｒ30=     ∞                ｄ30=  0.50     
ｒ31=     ∞                ｄ31=  0.50     ｎd17=1.51633 νd17=64.14 
ｒ32=     ∞                ｄ32=  0.34     
ｒ33=     ∞（像面）        
非球面係数
第７面
Ｋ  =  0.000
Ａ4 = -9.97436×10-6
Ａ6 = -3.26566×10-8
Ａ8 =  3.59390×10-10 
Ａ10= -1.94315×10-12 
第１０面
Ｋ  =  0.000
Ａ4 = -1.61569×10-4
Ａ6 = -1.78122×10-6
Ａ8 =  5.42952×10-8
Ａ10= -1.38762×10-9
第１９面
Ｋ  =  0.000
Ａ4 = -9.00996×10-5
Ａ6 =  1.78316×10-6
Ａ8 = -8.86379×10-8
Ａ10=  2.07955×10-9
第２０面
Ｋ  =  0.000
Ａ4 =  6.38849×10-5
Ａ6 =  1.78689×10-6
Ａ8 = -1.01750×10-7
Ａ10=  2.43499×10-9
第２８面
Ｋ  =  0.000
Ａ4 =  1.75335×10-4
Ａ6 =  1.15134×10-6
Ａ8 =  1.95726×10-8
Ａ10= -2.05640×10-9
ズームデータ（∞）
ＷＥ            ＳＴ            ＴＥ
ｆ (mm)             6.45           19.11           57.45  
ＦNO                3.51            4.15            5.04  
２ω（°）         60.55           20.81            7.06  
ｄ8                 0.60            8.12           13.17  
ｄ13               13.07            5.55            0.50  
ｄ18               16.50            8.46            0.50  
ｄ25                4.32           12.10           27.56  
ｄ28               10.25           10.46            2.99                    。
【００７９】
実施例６
ｒ1 =   -65.341             ｄ1 =  1.25     ｎd1 =1.92286 νd1 =20.88 
ｒ2 =    30.656             ｄ2 =  1.58     
ｒ3 =     ∞                ｄ3 = 20.00     ｎd2 =1.88300 νd2 =40.76 
ｒ4 =     ∞                ｄ4 =  0.20     
ｒ5 =   114.433             ｄ5 =  3.17     ｎd3 =1.69680 νd3 =55.53 
ｒ6 =   -38.490             ｄ6 =  0.20     
ｒ7 =    23.076 （非球面）  ｄ7 =  3.92     ｎd4 =1.69350 νd4 =53.21 
ｒ8 =  -295.720 （非球面）  ｄ8 = （可変）  
ｒ9 =   -62.810 （非球面）  ｄ9 =  1.00     ｎd5 =1.80610 νd5 =40.92 
ｒ10=    10.054 （非球面）  ｄ10=  1.37     
ｒ11=    23.420             ｄ11=  0.81     ｎd6 =1.83400 νd6 =37.16 
ｒ12=    10.758             ｄ12=  2.02     ｎd7 =1.92286 νd7 =20.88 
ｒ13=    21.953             ｄ13= （可変）  
ｒ14=    20.606             ｄ14=  1.96     ｎd8 =1.92286 νd8 =20.88 
ｒ15=  -500.211             ｄ15=  0.50     
ｒ16=     ∞（絞り）        ｄ16=  2.14     
ｒ17=   -17.992             ｄ17=  0.85     ｎd9 =1.83400 νd9 =37.16 
ｒ18=   128.562             ｄ18= （可変）  
ｒ19=    11.483 （非球面）  ｄ19=  3.92     ｎd10=1.49700 νd10=81.54 
ｒ20=   -15.733 （非球面）  ｄ20=  0.20     
ｒ21=    30.250             ｄ21=  2.20     ｎd11=1.49700 νd11=81.54 
ｒ22=   -39.295             ｄ22=  0.20     
ｒ23=   218.999             ｄ23=  2.91     ｎd12=1.69680 νd12=55.53 
ｒ24=   -10.277             ｄ24=  0.70     ｎd13=1.80100 νd13=34.97 
ｒ25=    15.308             ｄ25= （可変）  
ｒ26=   -13.028             ｄ26=  0.65     ｎd14=1.83400 νd14=37.16 
ｒ27=    39.859             ｄ27=  4.02     ｎd15=1.58313 νd15=59.46 
ｒ28=    -8.547 （非球面）  ｄ28= （可変）  
ｒ29=     ∞                ｄ29=  0.75     ｎd16=1.51633 νd16=64.14 
ｒ30=     ∞                ｄ30=  0.50     
ｒ31=     ∞                ｄ31=  0.50     ｎd17=1.51633 νd17=64.14 
ｒ32=     ∞                ｄ32=  0.37     
ｒ33=     ∞（像面）        
非球面係数
第７面
Ｋ  =  0.000
Ａ4 = -4.38966×10-6
Ａ6 = -1.91366×10-7
Ａ8 =  4.81848×10-10 
Ａ10= -9.54519×10-13 
第８面
Ｋ  =  0.000
Ａ4 =  2.29347×10-6
Ａ6 = -2.49275×10-7
Ａ8 =  1.26189×10-9
Ａ10= -2.67086×10-12 
第９面
Ｋ  =  0.000
Ａ4 =  3.46412×10-4
Ａ6 = -1.06969×10-5
Ａ8 =  1.68348×10-7
Ａ10= -9.59194×10-10 
第１０面
Ｋ  =  0.000
Ａ4 =  2.31436×10-4
Ａ6 = -1.10427×10-5
Ａ8 =  1.34542×10-7
Ａ10= -5.20044×10-10 
第１９面
Ｋ  = -0.030
Ａ4 = -1.22877×10-4
Ａ6 =  2.60859×10-6
Ａ8 = -1.37347×10-7
Ａ10=  3.38239×10-9
第２０面
Ｋ  =  0.000
Ａ4 =  1.14647×10-4
Ａ6 =  3.26236×10-6
Ａ8 = -1.82366×10-7
Ａ10=  4.37908×10-9
第２８面
Ｋ  =  0.000
Ａ4 =  2.41744×10-4
Ａ6 =  5.42820×10-7
Ａ8 =  6.79850×10-8
Ａ10= -1.94165×10-9
ズームデータ（∞）
ＷＥ            ＳＴ            ＴＥ
ｆ (mm)             6.44           20.14           62.54  
ＦNO                3.57            4.35            5.05  
２ω（°）         60.53           19.77            6.54  
ｄ8                 0.70            8.73           14.66  
ｄ13               14.46            6.42            0.50  
ｄ18               15.68            6.90            0.50  
ｄ25                4.91           12.91           28.34  
ｄ28               11.30           12.01            3.05                    。
【００８０】
実施例７
ｒ1 =   -82.069             ｄ1 =  1.25     ｎd1 =1.92286 νd1 =20.88 
ｒ2 =    28.798             ｄ2 =  1.67     
ｒ3 =     ∞                ｄ3 = 20.00     ｎd2 =2.00330 νd2 =28.27 
ｒ4 =     ∞                ｄ4 =  0.20     
ｒ5 =   142.780             ｄ5 =  2.99     ｎd3 =1.69680 νd3 =55.53 
ｒ6 =   -38.246             ｄ6 =  0.20     
ｒ7 =    20.625 （非球面）  ｄ7 =  3.98     ｎd4 =1.69350 νd4 =53.21 
ｒ8 =  -330.679             ｄ8 = （可変）  
ｒ9 =   -84.749             ｄ9 =  1.00     ｎd5 =1.80610 νd5 =40.92 
ｒ10=     8.103 （非球面）  ｄ10=  1.29     
ｒ11=    21.123             ｄ11=  0.75     ｎd6 =1.88300 νd6 =40.76 
ｒ12=    10.413             ｄ12=  2.06     ｎd7 =1.92286 νd7 =20.88 
ｒ13=    25.612             ｄ13= （可変）  
ｒ14=    25.148             ｄ14=  1.73     ｎd8 =1.92286 νd8 =20.88 
ｒ15=  -277.094             ｄ15=  0.51     
ｒ16=     ∞（絞り）        ｄ16=  2.39     
ｒ17=   -17.097             ｄ17=  0.80     ｎd9 =1.83400 νd9 =37.16 
ｒ18=  -350.515             ｄ18= （可変）  
ｒ19=    12.300 （非球面）  ｄ19=  3.98     ｎd10=1.49700 νd10=81.54 
ｒ20=   -19.049 （非球面）  ｄ20=  0.20     
ｒ21=    30.391             ｄ21=  2.43     ｎd11=1.49700 νd11=81.54 
ｒ22=   -29.542             ｄ22=  0.20     
ｒ23=    53.684             ｄ23=  3.14     ｎd12=1.69680 νd12=55.53 
ｒ24=   -10.680             ｄ24=  0.70     ｎd13=1.83400 νd13=37.16 
ｒ25=    15.940             ｄ25= （可変）  
ｒ26=   -15.689             ｄ26=  0.65     ｎd14=1.83400 νd14=37.16 
ｒ27=    19.707             ｄ27=  5.06     ｎd15=1.58313 νd15=59.46 
ｒ28=    -9.604 （非球面）  ｄ28= （可変）  
ｒ29=     ∞                ｄ29=  0.75     ｎd16=1.51633 νd16=64.14 
ｒ30=     ∞                ｄ30=  0.50     
ｒ31=     ∞                ｄ31=  0.50     ｎd17=1.51633 νd17=64.14 
ｒ32=     ∞                ｄ32=  0.37     
ｒ33=     ∞（像面）        
非球面係数
第７面
Ｋ  =  0.000
Ａ4 = -8.22508×10-6
Ａ6 = -1.37269×10-8
Ａ8 =  9.63885×10-12 
Ａ10= -2.31603×10-13 
第１０面
Ｋ  =  0.000
Ａ4 = -2.66550×10-4
Ａ6 = -1.83735×10-6
Ａ8 = -6.13298×10-9
Ａ10= -4.95749×10-10 
第１９面
Ｋ  =  0.003
Ａ4 = -1.02140×10-4
Ａ6 =  1.62150×10-6
Ａ8 = -6.60157×10-8
Ａ10=  1.35535×10-9
第２０面
Ｋ  =  0.000
Ａ4 =  9.05331×10-5
Ａ6 =  1.77154×10-6
Ａ8 = -7.96448×10-8
Ａ10=  1.64530×10-9
第２８面
Ｋ  =  0.000
Ａ4 =  1.93468×10-4
Ａ6 =  1.24115×10-6
Ａ8 = -2.20183×10-8
Ａ10=  2.20113×10-10 
ズームデータ（∞）
ＷＥ            ＳＴ            ＴＥ
ｆ (mm)             6.40           20.08           62.59  
ＦNO                3.51            4.21            5.00  
２ω（°）         60.85           19.83            6.53  
ｄ8                 0.70            8.32           13.58  
ｄ13               13.38            5.75            0.50  
ｄ18               15.45            7.06            0.50  
ｄ25                4.71           11.81           27.90  
ｄ28               11.30           12.53            3.06                    。
【００８１】
実施例８
ｒ1 =   -72.969             ｄ1 =  1.27     ｎd1 =1.92286 νd1 =20.88 
ｒ2 =    29.773             ｄ2 =  1.66     
ｒ3 =     ∞                ｄ3 = 20.00     ｎd2 =2.00069 νd2 =25.46 
ｒ4 =     ∞                ｄ4 =  0.20     
ｒ5 =   118.788             ｄ5 =  3.03     ｎd3 =1.69680 νd3 =55.53 
ｒ6 =   -41.882             ｄ6 =  0.20     
ｒ7 =    20.258 （非球面）  ｄ7 =  4.33     ｎd4 =1.69350 νd4 =53.21 
ｒ8 =  -228.209 （非球面）  ｄ8 = （可変）  
ｒ9 =  -167.187             ｄ9 =  1.00     ｎd5 =1.80610 νd5 =40.92 
ｒ10=     7.942 （非球面）  ｄ10=  1.60     
ｒ11=    26.930             ｄ11=  0.75     ｎd6 =1.83400 νd6 =37.16 
ｒ12=    10.513             ｄ12=  2.29     ｎd7 =1.92286 νd7 =20.88 
ｒ13=    28.599             ｄ13= （可変）  
ｒ14=    25.330             ｄ14=  1.80     ｎd8 =1.92286 νd8 =20.88 
ｒ15=  -270.033             ｄ15=  0.50     
ｒ16=     ∞（絞り）        ｄ16=  2.41     
ｒ17=   -18.853             ｄ17=  0.76     ｎd9 =1.83400 νd9 =37.16 
ｒ18=   219.519             ｄ18= （可変）  
ｒ19=    11.500 （非球面）  ｄ19=  4.09     ｎd10=1.49700 νd10=81.54 
ｒ20=   -16.310 （非球面）  ｄ20=  0.20     
ｒ21=    32.783             ｄ21=  2.15     ｎd11=1.48749 νd11=70.23 
ｒ22=   -45.231             ｄ22=  0.20     
ｒ23=    68.449             ｄ23=  3.20     ｎd12=1.69680 νd12=55.53 
ｒ24=   -10.578             ｄ24=  0.68     ｎd13=1.83400 νd13=37.16 
ｒ25=    17.152             ｄ25= （可変）  
ｒ26=   -13.105             ｄ26=  0.63     ｎd14=1.83400 νd14=37.16 
ｒ27=    19.391             ｄ27=  4.02     ｎd15=1.58313 νd15=59.46 
ｒ28=    -8.344 （非球面）  ｄ28= （可変）  
ｒ29=     ∞                ｄ29=  0.75     ｎd16=1.51633 νd16=64.14 
ｒ30=     ∞                ｄ30=  0.50     
ｒ31=     ∞                ｄ31=  0.50     ｎd17=1.51633 νd17=64.14 
ｒ32=     ∞                ｄ32=  0.36     
ｒ33=     ∞（像面）        
非球面係数
第７面
Ｋ  =  0.000
Ａ4 = -7.17081×10-6
Ａ6 = -1.49746×10-7
Ａ8 =  1.35315×10-11 
Ａ10= -6.79509×10-13 
第８面
Ｋ  =  0.000
Ａ4 =  4.43943×10-6
Ａ6 = -2.29259×10-7
Ａ8 =  9.40226×10-10 
Ａ10= -2.12773×10-12 
第１０面
Ｋ  =  0.000
Ａ4 = -2.62256×10-4
Ａ6 = -1.74494×10-6
Ａ8 = -2.17998×10-9
Ａ10= -1.08739×10-9
第１９面
Ｋ  =  0.000
Ａ4 = -1.33519×10-4
Ａ6 =  3.00014×10-6
Ａ8 = -1.44178×10-7
Ａ10=  2.64796×10-9
第２０面
Ｋ  =  0.000
Ａ4 =  8.41243×10-5
Ａ6 =  3.52323×10-6
Ａ8 = -1.74137×10-7
Ａ10=  3.23663×10-9
第２８面
Ｋ  =  0.000
Ａ4 =  2.44471×10-4
Ａ6 = -9.76638×10-8
Ａ8 =  9.98125×10-8
Ａ10= -2.25926×10-9
ズームデータ（∞）
ＷＥ            ＳＴ            ＴＥ
ｆ (mm)             6.45           20.16           62.52  
ＦNO                3.47            4.18            4.97  
２ω（°）         60.53           19.75            6.54  
ｄ8                 0.70            8.09           13.04  
ｄ13               12.84            5.45            0.50  
ｄ18               15.57            7.34            0.50  
ｄ25                4.88           12.22           28.73  
ｄ28               11.85           12.68            3.07                    。
【００８２】
実施例９
ｒ1 =   -64.670             ｄ1 =  1.25     ｎd1 =1.92286 νd1 =20.88 
ｒ2 =    30.494             ｄ2 =  1.56     
ｒ3 =     ∞                ｄ3 = 20.00     ｎd2 =1.83400 νd2 =37.16 
ｒ4 =     ∞                ｄ4 =  0.20     
ｒ5 =   114.464             ｄ5 =  3.17     ｎd3 =1.69680 νd3 =55.53 
ｒ6 =   -38.386             ｄ6 =  0.20     
ｒ7 =    23.128 （非球面）  ｄ7 =  3.92     ｎd4 =1.69350 νd4 =53.21 
ｒ8 =  -322.036 （非球面）  ｄ8 = （可変）  
ｒ9 =   -67.975 （非球面）  ｄ9 =  1.00     ｎd5 =1.80610 νd5 =40.92 
ｒ10=    10.089 （非球面）  ｄ10=  1.37     
ｒ11=    23.016             ｄ11=  0.81     ｎd6 =1.83400 νd6 =37.16 
ｒ12=    10.668             ｄ12=  2.03     ｎd7 =1.92286 νd7 =20.88 
ｒ13=    21.335             ｄ13= （可変）  
ｒ14=    20.258             ｄ14=  1.98     ｎd8 =1.92286 νd8 =20.88 
ｒ15=  -740.255             ｄ15=  0.50     
ｒ16=     ∞（絞り）        ｄ16=  2.11     
ｒ17=   -17.995             ｄ17=  0.85     ｎd9 =1.83400 νd9 =37.16 
ｒ18=   117.465             ｄ18= （可変）  
ｒ19=    11.657 （非球面）  ｄ19=  3.90     ｎd10=1.49700 νd10=81.54 
ｒ20=   -15.841 （非球面）  ｄ20=  0.20     
ｒ21=    27.564             ｄ21=  2.23     ｎd11=1.49700 νd11=81.54 
ｒ22=   -40.777             ｄ22=  0.20     
ｒ23=   180.998             ｄ23=  2.89     ｎd12=1.69680 νd12=55.53 
ｒ24=   -10.493             ｄ24=  0.70     ｎd13=1.80100 νd13=34.97 
ｒ25=    14.866             ｄ25= （可変）  
ｒ26=   -12.694             ｄ26=  0.65     ｎd14=1.83400 νd14=37.16 
ｒ27=    41.493             ｄ27=  4.01     ｎd15=1.58313 νd15=59.46 
ｒ28=    -8.418 （非球面）  ｄ28= （可変）  
ｒ29=     ∞                ｄ29=  0.75     ｎd16=1.51633 νd16=64.14 
ｒ30=     ∞                ｄ30=  0.50     
ｒ31=     ∞                ｄ31=  0.50     ｎd17=1.51633 νd17=64.14 
ｒ32=     ∞                ｄ32=  0.37     
ｒ33=     ∞（像面）        
非球面係数
第７面
Ｋ  =  0.000
Ａ4 = -4.31402×10-6
Ａ6 = -1.83743×10-7
Ａ8 =  4.94881×10-10 
Ａ10= -9.40380×10-13 
第８面
Ｋ  =  0.000
Ａ4 =  2.32835×10-6
Ａ6 = -2.37973×10-7
Ａ8 =  1.22776×10-9
Ａ10= -2.56910×10-12 
第９面
Ｋ  =  0.000
Ａ4 =  3.42561×10-4
Ａ6 = -1.05609×10-5
Ａ8 =  1.65002×10-7
Ａ10= -9.18239×10-10 
第１０面
Ｋ  =  0.000
Ａ4 =  2.32337×10-4
Ａ6 = -1.09099×10-5
Ａ8 =  1.29889×10-7
Ａ10= -3.99747×10-10 
第１９面
Ｋ  = -0.032
Ａ4 = -1.26136×10-4
Ａ6 =  2.69606×10-6
Ａ8 = -1.39350×10-7
Ａ10=  3.13608×10-9
第２０面
Ｋ  =  0.000
Ａ4 =  1.03010×10-4
Ａ6 =  3.29169×10-6
Ａ8 = -1.78718×10-7
Ａ10=  3.94998×10-9
第２８面
Ｋ  =  0.000
Ａ4 =  2.46999×10-4
Ａ6 =  8.12665×10-7
Ａ8 =  5.14242×10-8
Ａ10= -1.38334×10-9
ズームデータ（∞）
ＷＥ            ＳＴ            ＴＥ
ｆ (mm)             6.44           20.09           62.36  
ＦNO                3.57            4.34            5.08  
２ω（°）         60.54           19.81            6.56  
ｄ8                 0.70            8.77           14.64  
ｄ13               14.44            6.37            0.50  
ｄ18               15.67            6.98            0.50  
ｄ25                4.96           12.90           28.39  
ｄ28               11.30           11.99            3.04                    。
【００８３】
以上の実施例１〜９の無限遠物点合焦時の収差図をそれぞれ図１０〜図１８に示す。これらの収差図において、（ａ）は広角端、（ｂ）は中間状態、（ｃ）は望遠端における球面収差（ＳＡ）、非点収差（ＡＳ）、歪曲収差（ＤＴ）、倍率色収差（ＣＣ）を示す。各図中、“ＦＩＹ”は最大像高を示す。
【００８４】
次に、上記各実施例における条件式（１）、（１）’、（２）、（２）’、（３）〜（７）に関する値を示す。
【００８５】
条件式        実施例１    実施例２    実施例３    実施例４    実施例５
ｆ1 ／｜ｆ2 ｜  -2.29       -2.34       -2.05       -2.03       -1.94 
ｆ1 ／ｆt        0.53        0.47        0.39        0.38        0.36 
Ｒ2 ／ｆw        6.72        4.03        4.19        3.88        4.78 
Δ2G／ｆt       -0.24       -0.24       -0.21       -0.21       -0.22 
Ｎdp             1.80100     1.80100     1.80100     1.80100     1.80100
Ｒ2 ／Ｒ1       -0.47       -0.41       -0.35       -0.47       -0.43 
β2 ／βa        0.33        0.34        0.33        0.33        0.37 
条件式        実施例６    実施例７    実施例８    実施例９
ｆ1 ／｜ｆ2 ｜  -2.01       -2.06       -2.00       -1.98 
ｆ1 ／ｆt        0.34        0.32        0.32        0.34 
Ｒ2 ／ｆw        4.76        4.50        4.62        4.73 
Δ2G／ｆt       -0.22       -0.21       -0.20       -0.22 
Ｎdp             1.88300     2.00330     2.00069     1.83400
Ｒ2 ／Ｒ1       -0.07       -0.18       0.10        -0.33 
β2 ／βa        0.38        0.38        0.38        0.42 
。
【００８６】
以上のような実施例の本発明の屈曲変倍光学系において、前記したように、第１群Ｇ１中に配置されたプリズムＰによりカメラの縦方向に光路を屈曲させるか、あるいは、横方向に屈曲させる。その１例を図１９に示す。図１９は、実施例９の屈曲変倍光学系の光路を第１レンズ群Ｇ１中に配置された直角プリズムＰの全反射平面ＴＲで縦方向に折り曲げて（屈曲して）いる状態を示す図であり、実施例９の屈曲変倍光学系が広角端に位置する状態での光軸に沿ってとった断面図である。
【００８７】
図２０〜図２２は、本発明による屈曲変倍光学系をデジタルカメラの撮影光学系４１に組み込んだ構成の概念図を示す。図２０はデジタルカメラ４０の外観を示す前方斜視図、図２１は同後方斜視図、図２２はデジタルカメラ４０の構成を示す断面図である。デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含み、カメラ４０の上部に配置されたシャッター４５を押圧すると、それに連動して撮影光学系４１、例えば実施例１の屈曲変倍光学系を通して撮影が行われる。撮影光学系４１によって形成された物体像が、近赤外カットフィルターと光学的ローパスフィルターＦを介してＣＣＤやＣＭＯＳ等の撮像素子４９の撮像面上に形成される。このＣＣＤやＣＭＯＳ等の撮像素子４９で受光された物体像は、処理手段（例えばＣＰＵ）５１を介し、電子画像としてカメラ背面に設けられた液晶表示モニター（ＬＣＤ）４７に表示される。また、この処理手段５１には記録手段（例えば、メモリ）５２が接続され、撮影された電子画像を記録することもできる。なお、この記録手段５２は処理手段５１と別体に設けてもよいし、フロッピー（登録商標）ディスクやメモリーカード、ＭＯ、ＤＶＤ±ＲＷ等により電子的に記録書き込みを行うように構成してもよい。また、ＣＣＤ等４９に代わって銀塩フィルムを配置した銀塩カメラとして構成してもよい。
【００８８】
さらに、ファインダー用光路４４上にはファインダー用対物光学系５３が配置してある。このファインダー用対物光学系５３によって形成された物体像は、像正立部材であるポロプリズム５５の視野枠５７上に形成される。このポリプリズム５５の後方には、正立正像にされた像を観察者眼球Ｅに導く接眼光学系５９が配置されている。なお、撮影光学系４１及びファインダー用対物光学系５３の入射側、接眼光学系５９の射出側にそれぞれカバー部材５０が配置されている。
【００８９】
図２３に上記デジタルカメラ４０の主要部の内部構成の概略ブロック図を示す。なお、シャッター４５に代表される操作部は符号５００で示されており、処理手段はＣＰＵ５１で、撮像素子はＣＣＤ４９で構成されているものとし、記録手段はメモリーカード５２１と外部記憶装置（光ディスクやＨＤＤ等）５２２とで構成されているものとしている。ＣＰＵ５１が操作部５００のシャッター４５が押圧されたと判断すると、露光制御による最適シャッター制御値や絞り制御の演算を行い、その演算後にこれら制御値に基づいてシャッター及び絞り制御を行う。その他の制御動作は上記の通りである。
【００９０】
このように構成されたデジタルカメラ４０は、撮影光学系４１が高変倍比で収差が良好であり、明るく、全長が短いので、カメラ全体の小型化、薄型化を図れる。
【００９１】
なお、図２２の例では、カバー部材５０として平行平面板を配置しているが、パワーを持ったレンズを用いてもよい。
【００９２】
次に、本発明の屈曲変倍光学系が対物光学系として内蔵された情報処理装置の一例であるパソコンが図２４〜図２６に示される。図２４はパソコン３００のカバーを開いた前方斜視図、図２５はパソコン３００の撮影光学系３０３の断面図、図２６は図２４の状態の側面図である。図２４〜図２６に示されるように、パソコン３００は、外部から繰作者が情報を入力するためのキーボード３０１と、図示を省略した情報処理手段や記録手段と、情報を操作者に表示するモニター３０２と、操作者自身や周辺の像を撮影するための撮影光学系３０３とを有している。ここで、モニター３０２は、図示しないバックライトにより背面から照明する透過型液晶表示素子や、前面からの光を反射して表示する反射型液晶表示素子や、ＣＲＴディスプレイ等であってよい。また、図中、撮影光学系３０３は、モニター３０２の右上に内蔵されているが、その場所に限らず、モニター３０２の周囲や、キーボード３０１の周囲のどこであってもよい。
【００９３】
この撮影光学系３０３は、撮影光路３０４上に、本発明による屈曲変倍光学系（図では略記）からなる対物レンズ１１２と、像を受光する撮像素子チップ１６２とを有している。これらはパソコン３００に内蔵されている。
【００９４】
ここで、撮像素子チップ１６２上には光学的ローパスフィルターＦが付加的に貼り付けられて撮像ユニット１６０として一体に形成され、対物レンズ１１２の鏡枠１１３の後端にワンタッチで嵌め込まれて取り付け可能になっているため、対物レンズ１１２と撮像素子チップ１６２の中心合わせや面間隔の調整が不要であり、組立が簡単となっている。また、鏡枠１１３の先端（図示略）には、対物レンズ１１２を保護するためのカバーガラス１１４が配置されている。なお、鏡枠１１３中のズームレンズの駆動機構等は図示を省いてある。
【００９５】
撮像素子チップ１６２で受光された物体像は、端子１６６を介して、パソコン３００の処理手段に入力され、電子画像としてモニター３０２に表示される、図２４には、その一例として、操作者の撮影された画像３０５が示されている。また、この画像３０５は、処理手段を介し、インターネットや電話を介して、遠隔地から通信相手のパソコンに表示されることも可能である。
【００９６】
次に、本発明の屈曲変倍光学系が撮影光学系として内蔵された情報処理装置の一例である電話、特に持ち運びに便利な携帯電話が図２７に示される。図２７（ａ）は携帯電話４００の正面図、図２７（ｂ）は側面図、図２７（ｃ）は撮影光学系４０５の断面図である。図２７（ａ）〜（ｃ）に示されるように、携帯電話４００は、操作者の声を情報として入力するマイク部４０１と、通話相手の声を出力するスピーカ部４０２と、操作者が情報を入力する入力ダイアル４０３と、操作者自身や通話相手等の撮影像と電話番号等の情報を表示するモニター４０４と、撮影光学系４０５と、通信電波の送信と受信を行うアンテナ４０６と、画像情報や通信情報、入力信号等の処理を行う処理手段（図示せず）とを有している。ここで、モニター４０４は液晶表示素子である。また、図中、各構成の配置位置は、特にこれらに限られない。この撮影光学系４０５は、撮影光路４０７上に配置された本発明による屈曲変倍光学系（図では略記）からなる対物レンズ１１２と、物体像を受光する撮像素子チップ１６２とを有している。これらは、携帯電話４００に内蔵されている。
【００９７】
ここで、撮像素子チップ１６２上には光学的ローパスフィルターＦが付加的に貼り付けられて撮像ユニット１６０として一体に形成され、対物レンズ１１２の鏡枠１１３の後端にワンタッチで嵌め込まれて取り付け可能になっているため、対物レンズ１１２と撮像素子チップ１６２の中心合わせや面間隔の調整が不要であり、組立が簡単となっている。また、鏡枠１１３の先端（図示略）には、対物レンズ１１２を保護するためのカバーガラス１１４が配置されている。なお、鏡枠１１３中のズームレンズの駆動機構等は図示を省いてある。
【００９８】
撮影素子チップ１６２で受光された物体像は、端子１６６を介して、図示していない処理手段に入力され、電子画像としてモニター４０４に、又は、通信相手のモニターに、又は、両方に表示される。また、通信相手に画像を送信する場合、撮像素子チップ１６２で受光された物体像の情報を、送信可能な信号へと変換する信号処理機能が処理手段には含まれている。
【図面の簡単な説明】
【００９９】
【図１】本発明の屈曲変倍光学系の実施例１の無限遠物点合焦時の広角端（ａ）、中間状態（ｂ）、望遠端（ｃ）での光学展開図である。
【図２】本発明の屈曲変倍光学系の実施例２の図１と同様の光学展開図である。
【図３】本発明の屈曲変倍光学系の実施例３の図１と同様の光学展開図である。
【図４】本発明の屈曲変倍光学系の実施例４の図１と同様の光学展開図である。
【図５】本発明の屈曲変倍光学系の実施例５の図１と同様の光学展開図である。
【図６】本発明の屈曲変倍光学系の実施例６の図１と同様の光学展開図である。
【図７】本発明の屈曲変倍光学系の実施例７の図１と同様の光学展開図である。
【図８】本発明の屈曲変倍光学系の実施例８の図１と同様の光学展開図である。
【図９】本発明の屈曲変倍光学系の実施例９の図１と同様の光学展開図である。
【図１０】実施例１の無限遠物点合焦時の広角端（ａ）、中間状態（ｂ）、望遠端（ｃ）での収差図である。
【図１１】実施例２の図１０と同様の収差図である。
【図１２】実施例３の図１０と同様の収差図である。
【図１３】実施例４の図１０と同様の収差図である。
【図１４】実施例５の図１０と同様の収差図である。
【図１５】実施例６の図１０と同様の収差図である。
【図１６】実施例７の図１０と同様の収差図である。
【図１７】実施例８の図１０と同様の収差図である。
【図１８】実施例９の図１０と同様の収差図である。
【図１９】実施例９の屈曲変倍光学系の光路を縦方向に折り曲げている状態を示す図である。
【図２０】本発明による屈曲変倍光学系を組み込んだデジタルカメラの外観を示す前方斜視図である。
【図２１】図２０のデジタルカメラの後方斜視図である。
【図２２】図２０のデジタルカメラの構成を示す断面図である。
【図２３】図２０のデジタルカメラの主要部の内部構成の概略ブロック図である。
【図２４】本発明による屈曲変倍光学系を対物光学系として組み込れたパソコンのカバーを開いた前方斜視図である。
【図２５】パソコンの撮影光学系の断面図である。
【図２６】図２５の状態の側面図である。
【図２７】本発明による屈曲変倍光学系を対物光学系として組み込れた携帯電話の正面図（ａ）、側面図（ｂ）、その撮影光学系の断面図（ｃ）である。
【符号の説明】
【０１００】
Ｇ１…第１群（第１レンズ群）
Ｇ２…第２群（第２レンズ群）
Ｇ３…第３群（第３レンズ群）
Ｇ４…第４群（第４レンズ群）
Ｇ５…第５群（第５レンズ群）
Ｐ…プリズム
Ｓ…開口絞り
Ｆ…光学的ローパスフィルター
Ｃ…カバーガラス
Ｉ…像面
ＴＲ…全反射平面
Ｅ…観察者眼球
４０…デジタルカメラ
４１…撮影光学系
４２…撮影用光路
４３…ファインダー光学系
４４…ファインダー用光路
４５…シャッター
４６…フラッシュ
４７…液晶表示モニター（ＬＣＤ）
４９…撮像素子（ＣＣＤ、ＣＭＯＳ）
５１…処理手段（ＣＰＵ）
５２…記録手段（メモリ）
５３…ファインダー用対物光学系
５５…ポロプリズム
５７…視野枠
５９…接眼光学系
５０…カバー部材
１１２…対物レンズ
１１３…鏡枠
１１４…カバーガラス
１６０…撮像ユニット
１６２…撮像素子チップ
１６６…端子
３００…パソコン
３０１…キーボード
３０２…モニター
３０３…撮影光学系
３０４…撮影光路
３０５…画像
４００…携帯電話
４０１…マイク部
４０２…スピーカ部
４０３…入力ダイアル
４０４…モニター
４０５…撮影光学系
４０６…アンテナ
４０７…撮影光路
５００…操作部
５２１…メモリーカード
５２２…外部記憶装置（光ディスク、ＨＤＤ）
【図１】
2007248952.tif 000003
【図２】
2007248952.tif 000004
【図３】
2007248952.tif 000005
【図４】
2007248952.tif 000006
【図５】
2007248952.tif 000007
【図６】
2007248952.tif 000008
【図７】
2007248952.tif 000009
【図８】
2007248952.tif 000010
【図９】
2007248952.tif 000011
【図１０】
2007248952.tif 000012
【図１１】
2007248952.tif 000013
【図１２】
2007248952.tif 000014
【図１３】
2007248952.tif 000015
【図１４】
2007248952.tif 000016
【図１５】
2007248952.tif 000017
【図１６】
2007248952.tif 000018
【図１７】
2007248952.tif 000019
【図１８】
2007248952.tif 000020
【図１９】
2007248952.tif 000021
【図２０】
2007248952.tif 000022
【図２１】
2007248952.tif 000023
【図２２】
2007248952.tif 000024
【図２３】
2007248952.tif 000025
【図２４】
2007248952.tif 000026
【図２５】
2007248952.tif 000027
【図２６】
2007248952.tif 000028
【図２７】
2007248952.tif 000029